(57)【要約】【課題】狭い隙間、狭い場所での使用が可能で、構造が簡単、小型、軽量で手軽に素早く使える円形状楔回転ジャッキ装置を提供する。【解決手段】上面に傾斜面、下面に水平面を形成した円形状楔回転部材２と、該円形状楔回転部材の傾斜面上面に摺接する上面円形状摺接板１４及び、下面の水平面に摺接する下面円形状摺接板６を、配置し且つ、前記上面円形状摺接板と、前記円形状楔回転部材と、前記下面円形状摺接板との、略中央に垂直方向に穿設した孔を貫通した軸２２は、前記下面円形状摺接板の突出端部にＬ字型部材１８で固定され、また前記円形状楔回転部材の側面部位には着脱自在となる梃子棒１３とからなり、前記軸を中心に前記上面円形状摺接板及び前記下面円形状摺接板の間で、前記梃子棒による回転力で前記円形状楔回転部材が、回転摺動し、楔部位の薄肉部位より厚肉部位への移動で上面円形状摺接板上に載置した重量物の持上げ、持下げさせる。【選択図】　図１
2004075263.tif 000002
【特許請求の範囲】
【請求項１】
上面に傾斜面、下面に水平面を形成した円形状楔回転部材と、該円形状楔回転部材の傾斜面上面に摺接する上面円形状摺接板及び、下面の水平面に摺接する下面円形状摺接板を、配置し且つ、前記上面円形状摺接板と、前記円形状楔回転部材と、前記下面円形状摺接板との、略中央に垂直方向に穿設した孔を貫通した軸は、前記下面円形状摺接板の突出端部にＬ字型部材で固定され、また前記円形状楔回転部材の側面部位には着脱自在となる梃子棒とからなり、前記軸を中心に前記上面円形状摺接板及び前記下面円形状摺接板の間で、前記梃子棒による回転力で前記円形状楔回転部材が、回転摺動し、楔部位の薄肉部位より厚肉部位への移動で上面円形状摺接板上に載置した重量物の持上げ、持下げさせ、また、前記円形状楔回転部材の側面部位には、中心側に向け、前記着脱自在となる梃子棒の取付け孔を、少なくとも２ヶ所以上穿設せる前記円形状楔回転部材からなることを特徴とする円形状楔回転ジャッキ装置。
【請求項２】
前記Ｌ字型部材は、前記上面円形状摺接板及び前記円形状楔回転部材の動きを妨げないよう、前記下面円形状摺接板の突出端部に固定され、上方に伸びる部位の反中心側に、取っ手を形成し、且つ中心側に、ほぼ垂直に溝を有し、前記軸に固定され、前記上面円形状摺接板の突出部が前記溝を案内溝として、前記円形状楔回転部材の摺動回転位置に応じて昇降及び傾斜し、また前記Ｌ字型部材には進退自在のストッパー棒の螺子孔を備えていることを特徴とする請求項１記載の円形状楔回転ジャッキ装置
【発明の詳細な説明】
【０００１】
【発明の属する技術分野】
本発明は、例えば、土木建築作業のボックスカルバート、Ｕ字溝等の敷設を行う場合や、事務所、家庭等の事務機器や電気機器等を設置する場合にも、狭い場所や狭い隙間で、床を損傷することなく、持上げ、持下げや水平調整作業を容易に行うジャッキ装置に係り、それ程、重量を伴わない物体にも、単独作業として簡単な操作で使用することが出来る円形状楔回転ジャッキ装置に関する。
【０００２】
【従来の技術】
代表的なジャッキ装置には、螺子式や油圧式等があるがジャッキ本体の大きさや重量にも制限され、狭い隙間、狭い場所での使用には、制約を受ける。それ程、重量を伴わない物体への使用には、螺子式の場合は、螺子の旋回、逆旋回に時間を要して作業能率に制約を受ける。
【０００３】
【発明が解決しようとする課題】
代表的なジャッキ装置には、螺子式や油圧式等があるがジャッキ本体の小型化、軽量化は難しく、狭い隙間、狭い場所での使用には、制約を受ける。ジャッキが入らないような場合は、バール等を差し込んで、複数の作業員と、多大な労力を必要とし、また室内では床が損傷する問題点があった。それ程、重量を伴わない物体にも単独作業で手軽に、簡単な操作で使用することには問題があった。
【０００４】
ジャッキの設置が可能な時でも、螺子式の場合は、螺子の旋回、逆旋回に時間を要して作業能率に制約を受け、また、油圧式の場合は、油圧ユニットを必要とし、小型化が制約される。何れも、それ程、重量を伴わない物体への使用には、手軽に素早く、単独で作業をすることに不便であった。
【０００５】
そこで本発明は、狭い隙間、狭い場所での使用にも、持上げる物体の重量の有無に制約を受けずに、また梃子棒の回転操作で容易に使用でき、重量のあるものには長さのある梃子棒の使用で対処でき、単独作業で微調整も容易で、且つ、室内の使用でも床の損傷させる事のない、円形状楔回転ジャッキ装置を提供することにある。
【０００６】
【課題を解決するための手段】
本発明によれば、上面に傾斜面、下面に水平面を形成した円形状楔回転部材と、該円形状楔回転部材の傾斜面上面に摺接する上面円形状摺接板及び、下面の水平面に摺接する下面円形状摺接板を、配置し且つ、前記上面円形状摺接板と、前記円形状楔回転部材と、前記下面円形状摺接板との、略中央に垂直方向に穿設した孔を貫通した軸は、前記下面円形状摺接板の突出端部にＬ字型部材で固定され、また前記円形状楔回転部材の側面部位には着脱自在となる梃子棒とからなり、前記軸を中心に前記上面円形状摺接板及び前記下面円形状摺接板の間で、前記梃子棒による回転力で前記円形状楔回転部材が、回転摺動し、楔部位の薄肉部位より厚肉部位への移動で上面円形状摺接板上に載置した重量物の持上げ、持下げさせ、また、前記円形状楔回転部材の側面部位には、中心側に向け、前記着脱自在となる梃子棒の取付け孔を、少なくとも２ヶ所以上穿設せる前記円形状楔回転部材からなる円形状楔回転ジャッキ装置を構成した。
【０００７】
このような構成によれば、前記上面円形状摺接板と、前記円形状楔回転部材と、前記下面円形状摺接板とが重なり、前記円形状楔回転部材の楔先端の肉薄部分は、前記軸を中心に前記梃子棒で回転力を与えることにより前記上面円形状摺接板と前記下面円形状摺接板との間で、回転摺動し楔の肉厚部分へと挿入移行し間隔が開き、持上げ力を発揮する。
【０００８】
また請求項２の発明は、前記Ｌ字型部材は、前記上面円形状摺接板及び前記円形状楔回転部材の動きを妨げないよう、前記下面円形状摺接板の突出端部に固定され、上方に伸びる部位の反中心側に、取っ手を形成し、且つ中心側に、ほぼ垂直に溝を有し、前記軸に固定され、前記上面円形状摺接板の突出部が前記溝を案内溝として、前記円形状楔回転部材の摺動回転位置に応じて昇降及び傾斜し、また前記Ｌ字型部材には進退自在のストッパー棒の螺子孔を備えている円形状楔回転ジャッキ装置を構成した。
【０００９】
このような構成によれば、前記Ｌ字型部材は、前記下面円形状摺接板と前記軸とを固定し、且つ、前記上面円形状摺接板を前記円形状楔回転部材の摺動回転時の斜面に密着摺動させる前記案内溝を有する。従って、持上げる物体の重量を受け、前記上面円形状摺接板と、前記下面円形状摺接板との、間で前記円形状楔回転部材の回転摺動面が密着摺動する。
【００１０】
【発明の実施の形態】
以下、本発明の実施例を添付図面を参照して説明する。図１乃至図３は本発明の一実施例を示し、図１に示すように、円形状楔回転ジャッキ装置１は、略円形状の楔体をなす円形状楔回転部材２の上下に、略平板円形状の上面円形状摺接板１４と、略平板円形状の下面円形状摺接板６とを、配置する。前記下面円形状摺接板６の、略中央に穿設した孔２５に挿入した軸２２は、該軸端部２６で、前記下面円形状摺接板６をナット７で螺着し、前記円形状楔回転部材２の略中央に垂直方向に穿設した孔１２と、前記上面円形状摺接板１４の略中央に穿設した孔１６とを、通し、更にＬ字型部材１８の先端部に穿設した固定孔１９を通し、前記軸の先端螺子部２７を袋ナット２３で固定されている。また、螺子１１は、取っ手２０を有するＬ字型部材１８の下部螺子孔３０と、前記下面円形状摺接板６の突出端部９の止孔１０とを、固定する。従って、前記円形状楔回転部材２は回転可能に配置されている。
【００１１】
また、図１乃至図２に示すように、前記円形状楔回転部材２の上面に配置する前記上面円形状摺接板１４の突出部１７は、前記Ｌ字型部材１８の略垂直に設けられた溝２１の中で、前記円形状楔回転部材２の回転に応じた上部摺接面４の変化に対応して、上面円形状摺接板１４と同時に、左右への傾斜及び昇降する。前記Ｌ字型部材１８の下部螺子孔３０近くに設けられた螺子孔２４にストッパー棒２８の螺子軸２９を進退自在螺着させ、前記円形状楔回転部材２の側面を押圧し、動きを規制するストッパー機構が採用されている。
【００１２】
次に前記円形状楔回転ジャッキ装置１の使用方法につき説明すると、図３は、使用場所の一例である土木工事のコンクリート製品のボックスカルバート敷設作業を示し、ボックスカルバートＡ、Ｂは上端を略水平に敷設する。従って図３（イ）に示す前記ボックスカルバートＡと地面Ｃとの隙間Ｓに、前記円形状楔回転ジャッキ装置１の前記上面円形状摺接板１４と、前記円形状楔回転部材２と、前記下面円形状摺接板６とが重なった、楔先端の薄肉部分を差し込んで配置する。そして、取っ手２０で前記円形状楔回転ジャッキ装置１を固定し、前記梃子棒１３を取付け孔３に挿入し、前記軸２２を中心に前記梃子棒１３で回転力を与える。作業の状況で前記梃子棒１３を取り外し、別の取付け孔３を利用し、前記円形状楔回転部材２を前記上面円形状摺接板１４と前記下面円形状摺接板６との間で、回転摺動し楔の厚肉部分へと挿入移行し間隔が開き、持上げ力を発揮し、図３（ロ）に示すように、ボックスカルバートＡは持上げられボックスカルバートＡ、Ｂは水平に保たれる。この状態を暫く保持する場合は、螺子孔２４に螺着したストッパー棒２８で前記円形状楔回転部材２の側面を押圧する。前記上面円形状摺接板１４は上部荷重を受ける受圧板となり、また、前記下面円形状摺接板６は下面からの荷重圧力の受圧板となり、間で前記円形状楔回転部材２が回転摺動する。
【００１３】
また、前記円形状楔回転部材２の上面の上部摺接面４及び、下面の下部摺接面５と、前記円形状楔回転部材２の上下面に回転摺接する前記上面円形状摺動板１４の摺接面１５と、前記下面円形状摺動板６の摺接面８との、各摺接回転面に、フッ素系樹脂、ナイロン系樹脂、や摩擦抵抗の少ない材料のライニング又は、薄布状材を貼付するのが好ましい。
【００１４】
また、前記円形状楔回転部材２、前記上面円形状摺動板１４、前記下面円形状摺動板６、前記Ｌ字型部材１８の各部材の材料はスチールやステンレスやアルミニウム合金が好ましいが、強度の高い軽量素材、例えば、チタン等で形成する事も可能である。
【００１５】
そして、前記各摺接回転面には、摩擦抵抗の少ない材料をメッキ処理によりコーティングを施すことも可能である。
【００１６】
また、持上げ荷重の比較的軽量な時に適用する前記円形状楔回転ジャッキ装置１の場合は、前記上面円形状摺接板１４と、前記円形状楔回転部材２と、前記下面円形状摺接板６とを、塩化ビニール系樹脂、ナイロン系樹脂、フッ素系樹脂等の滑性のある材料、または、前記円形状楔回転部材のみを、塩化ビニール系樹脂、ナイロン系樹脂、フッ素系樹脂等の滑性のある材質にすることも可能である。
【００１７】
また、実施例上の効果として、前記円形状楔回転部材２の楔角度を３０度以下にしたら、前記上面円形状摺接板１４と前記下面円形状摺接板６との間で、前記円形状楔回転部材２がスムーズに回転摺動し楔の肉厚部分へと挿入移行し間隔が開き、持上げ力を発揮する事ができる。
【００１８】
本発明は図示した実施形態に限定されるものではなく、本発明の要旨を踏襲する限り、本発明の明細書及び図面に記載された内容から推量できるもの、或いは同じ機能を有する他の手段に置き換えたものも本発明に含まれるものである。
【００１９】
【発明の効果】
以上にしてなる本発明の円形状楔回転ジャッキ装置によれば、構造が簡単、小型化、軽量化が可能で狭い隙間、狭い場所で油圧式及び螺子式ジャッキ装置、バールの使用不可能な所でも容易に隙間に挿入し、使用する事ができ、隙間の大きな所では隙間に対応した厚みの平板を挿入して、該平板上で使用すれば隙間の大きな所でも容易に使用できる。上面円形状摺接板及び下面円形状摺動板は、持上げ対象物や室内の床等を保護でき損傷さるることなく作業をする事ができ、持上げ対象物が重量を伴わない物にでも、比較的手軽に使用でき、安全、安定性に優れ、単独作業として使用でき、土木、建築、事務機器、電気機器分野はもとより産業に寄与すること大である。
【００２０】
【図面の簡単な説明】
【図１】本発明の円形状楔回転ジャッキ装置の一実施形態を示す斜視図である。
【図２】円形状楔回転ジャッキ装置の使用状態を示し、（イ）は初期状態の断面図、（ロ）は持上げ状態の断面図である。
【図３】円形状楔回転ジャッキ装置の使用状態を示し、（イ）は初期状態の斜視図、（ロ）は持上げ状態の斜視図である
【符号の説明】
Ａ　ボックスカルバート
Ｂ　ボックスカルバート
Ｃ　地面
Ｓ　隙間
１．円形状楔回転ジャッキ装置
２．円形状楔回転部材
３．取付け孔
４．上部摺接面
５．下部摺接面
６．下面円形状摺接板
７．ナット
８．摺接面
９．突出端部
１０．止孔
１１．螺子
１２．孔
１３．梃子棒
１４．上面円形状摺接板
１５．摺接面
１６．孔
１７．突出部
１８．Ｌ字型部材
１９．固定孔
２０．取っ手
２１．溝
２２．軸
２３．袋ナット
２４．螺子孔
２５．孔
２６．端部
２７．螺子部
２８．ストッパー棒
２９．螺子軸
３０．下部螺子孔
【図１】
2004075263.tif 000003
【図２】
2004075263.tif 000004
【図３】
2004075263.tif 000005